(57)【要約】【課題】画像形成装置と後処理装置との間に接続される後処理中継ユニットで、多種多様な後処理装置の接続によっても高い生産性を維持することを可能にする。【解決手段】画像形成装置、後処理装置との通信を行う通信手段と、画像形成装置から送られる用紙を重ね合わせる重ね合わせ部と、画像形成装置と後処理装置の用紙搬送間隔および後処理に要する時間を特定する情報とＪＯＢに関する情報を通信手段を介して画像形成装置および後処理装置から取得し、該用紙搬送間隔および後処理に要する時間情報と実行ＪＯＢに関する情報とに基づいて重ね合わせ部で重ね合わせる用紙の枚数を決定する中継ユニット制御手段を備え、複雑な後処理組み合わせのシステム構成における最適な生産性確保を後処理中継ユニットで吸収し制御できる。【選択図】図７
2008303061.tif 000002
【特許請求の範囲】
【請求項１】
画像形成装置と後処理装置との間に接続され、前記画像形成装置から送られる用紙を後処理装置に搬送する後処理中継ユニットにおいて、前記画像形成装置、前記後処理装置との通信を行う通信手段と、前記画像形成装置から送られる用紙を重ね合わせる重ね合わせ部と、前記画像形成装置と後処理装置の用紙搬送間隔および後処理に要する時間を特定する情報とＪＯＢに関する情報を前記通信手段を介して前記画像形成装置および前記後処理装置から取得し、該用紙搬送間隔および後処理に要する時間情報と実行ＪＯＢに関する情報とに基づいて前記重ね合わせ部で重ね合わせる用紙の枚数を決定する中継ユニット制御手段とを備えることを特徴とする後処理中継ユニット。
【請求項２】
前記中継ユニット制御手段は、複数の後処理機能条件を組み合わせたＪＯＢを実行する場合、各後処理機能条件において決定される重ね合わせ枚数のうちの最大枚数を重ね合わせ枚数とすることを特徴とする請求項１記載の後処理中継ユニット。
【請求項３】
前記中継ユニット制御手段は、前記画像形成装置と後処理装置の機種情報と、該機種情報と前記用紙搬送間隔および後処理に要する時間とを関連付けて記憶しておき、前記画像形成装置と後処理装置とから前記機種情報の通知を受けて、該機種情報に関連付けた前記用紙搬送間隔および後処理に要する時間情報を読み出すことを特徴とする請求項１または２に記載の後処理中継ユニット。
【請求項４】
前記中継ユニット制御手段は、前記用紙搬送間隔および後処理に要する時間を特定する情報を、前記画像形成装置と後処理装置との接続状態でＪＯＢ実行前に取得して記憶しておくことを特徴とする請求項１または２に記載の後処理中継ユニット。
【請求項５】
前記ＪＯＢに関する情報は前記画像形成装置から通知され、実行ＪＯＢの後処理モード、搬送枚数、区切り情報を含むことを特徴とする請求項１〜４のいずれかに記載の後処理中継ユニット。
【請求項６】
前記画像形成装置の用紙搬送間隔をＴmain、後処理に要する時間をＴFSとして、ＴFS＞Ｔmainの場合、前記重ね合わせ部で重ね合わせる用紙の枚数を（ＴFS／Ｔmain）以上の整数値とすることを特徴とする請求項１〜５のいずれかに記載の後処理中継ユニット。
【請求項７】
前記中継ユニット制御手段は、前記後処理装置の後処理タイミング以外では、前記画像形成装置の用紙搬送間隔で前記重ね合わせを行うことなく用紙を前記後処理装置に搬送し、前記後処理装置の後処理タイミングでは、後処理に要する時間が前記用紙搬送間隔を超える場合、前記重ね合わせ部に用紙の重ね合わせを実行させ、前記後処理の完了後、新たな用紙が該後処理中継ユニットに搬送されるタイミングまたはその前に、前記重ね合わせ部で重ね合わされた前記用紙を前記後処理装置に搬送する制御を行うことを特徴とする請求項１〜５のいずれかに記載の後処理中継ユニット。
【請求項８】
複数の画像形成装置または／および複数の後処理装置を選択的に接続可能であることを特徴とする請求項１〜６のいずれかに記載の後処理中継ユニット。  
【発明の詳細な説明】
【技術分野】
【０００１】
この発明は、画像形成装置と後処理装置との間に接続されて、前記画像形成装置で画像形成された用紙を受けて前記後処理装置に搬送する後処理中継ユニットに関するものである。
【背景技術】
【０００２】
近年軽印刷向け等の画像形成装置では一層の高速化が進んでいる。一方、同業界向けのシステムの出力物に対してはパンチ／ステープル／くるみ製本等の多様で高度な後処理の要求が求められている。これらに対応する為、画像形成システムとしては、幾つかの画像形成装置に接続可能な後処理装置の提案や、一つの画像形成装置に対し複数の後処理装置を選択的に連結可能なシステムの提案等が為されている。
【０００３】
しかしながらこれらのシステムでは画像形成装置と後処理の組み合わせのパターンが飛躍的に増えることから、後処理を含めたシステムの制御や搬送条件が非常に複雑になるという問題がある。また、後処理装置は比較的時間を要する処理が多い為、画像形成装置の持つ高い生産性が十分に発揮出来ないケースがある。
【０００４】
これに対し、特許文献１では、画像形成装置排出部近傍に、画像形成されたシートを待機させ、次のシートと重ね合わせて同時に搬送する二重搬送手段を配置することで生産性を高めた画像形成装置が提案されている。
また、特許文献２では、画像形成装置と後処理装置の間に中間搬送装置を備え、中間搬送装置内に設けられたパージトレイに画像形成装置から排出され、後処理装置に不要な用紙を排出させる接続装置が提案されている。
【０００５】
また、前記の問題を解決する為に、画像形成装置本体と後処理装置の間に用紙搬送条件を一定にするＲＵ（リレー（中継）ユニット）を備えるシステムが知られている。本中継ユニットでは前段の画像形成装置から出力された用紙を、後段の後処理装置へ規定の排紙速度で出力する様にしており、中継ユニットの後段に接続される後処理装置は、中継ユニット前段の画像形成装置の排紙する速度を考慮する必要がなくなる。また、中継ユニット内で複数枚の用紙を重ねて中継ユニット後段に排出する機構を備えることで、中継ユニット後段の後処理装置で必要とする用紙間隔を確保しつつ画像形成装置の生産性を最大限発揮することが可能になる。
【特許文献１】特開２００４−５９２４２号公報
【特許文献２】特開平６−５６３３６号公報
【発明の開示】
【発明が解決しようとする課題】
【０００６】
しかしながら前述の様にＲＵ後段側などを介して接続可能な後処理装置も多様化しており、これらの違いは実現する後処理機能や、同じ後処理機能でも機械の精度等により異なっている。例えば同じ平綴じステープルが可能な後処理装置でも、コストは安いが処理能力が低い（単位時間当たりにステープル実行可能な束の数が少ない）ものもあれば、コストは高いが処理能力の高い後処理装置も存在する。画像形成装置に、二重搬送手段や用紙重ね機構を有する中継ユニットを介し後処理装置を接続する場合においても、中継ユニットなどでの重ね合わせ枚数を固定とした場合、前述の多様な後処理機を接続した場合に、ある特定の組み合わせでの高生産性の実現は可能であるが、何れの条件でもシステム全体として最適な生産性を実現することは不可能である。
【０００７】
本発明は、上記事情を背景としてなされたものであり、システムとしての生産性を最大限に発揮するために、接続されている後処理装置種類と実行する後処理モードに応じて、重ね合わせる枚数を決定して、後段後処理装置で必要な用紙間隔を確保することが可能な後処理中継ユニットを提供することを目的とする。
【課題を解決するための手段】
【０００８】
すなわち、本発明の後処理中継ユニットのうち、第１の本発明は、画像形成装置と後処理装置との間に接続され、前記画像形成装置から送られる用紙を後処理装置に搬送する後処理中継ユニットにおいて、前記画像形成装置、前記後処理装置との通信を行う通信手段と、前記画像形成装置から送られる用紙を重ね合わせる重ね合わせ部と、前記画像形成装置と後処理装置の用紙搬送間隔および後処理に要する時間を特定する情報とＪＯＢに関する情報を前記通信手段を介して前記画像形成装置および前記後処理装置から取得し、該用紙搬送間隔および後処理に要する時間情報と実行ＪＯＢに関する情報とに基づいて前記重ね合わせ部で重ね合わせる用紙の枚数を決定する中継ユニット制御手段とを備えることを特徴とする。
【０００９】
第１の本発明によれば、画像形成装置、後処理装置の用紙搬送間隔、後処理に要する時間の情報と、ＪＯＢに関する情報に基づいて、重ね合わせ部で用紙の重ね合わせが必要か否か、また重ね合わせが必要な場合、何枚の重ね合わせが必要かという決定がなされる。後処理に要する時間は、用紙の搬送を受けて後処理を完了するまでの時間をいう。
用紙搬送間隔と後処理に要する時間の情報は、前記画像形成装置および前記後処理装置から直接取得するものであってもよく、また、後述するように、機種情報などと用紙搬送間隔と後処理に要する時間の情報を関連付けて記憶しておき、前記画像形成装置および前記後処理装置から機種情報の通知を受けることで、用紙搬送間隔と後処理に要する時間の情報を取得するものであってもよい。すなわち、少なくとも用紙搬送間隔および後処理に要する時間を特定するための情報が前記画像形成装置および前記後処理装置から得られればよい。ＪＯＢに関する情報は、画像形成装置から通知を受けることができる。これらの情報、通知は、通信手段を介して得られるが、通信方法や接続方法は本発明としては特に限定されるものではない。複数の機器を容易かつ簡易に接続できるため、シリアルバス接続は好適である。
なお、重ね合わせ枚数は、後処理装置で必要な処理枚数を超えない重ね合わせの枚数が決定される。例えば、後処理としてステイプル処理を行う場合、束枚数が５枚であれば、重ね合わせ枚数は５枚以内となる。
【００１０】
第２の本発明の後処理中継ユニットは、前記第１の本発明において、前記中継ユニット制御手段は、複数の後処理機能条件を組み合わせたＪＯＢを実行する場合、各後処理機能条件で必要な処理重ね枚数の最大枚数を重ね合わせ枚数とすることを特徴とする請求項１記載の後処理中継ユニット。
【００１１】
第２の本発明によれば、複数の後処理機能を用いる場合、重ね合わせ枚数は、各後処理機能で重ね合わせが必要とされる最大枚数に設定される。これにより生産性を高度に維持することが可能になる。
【００１２】
第３の本発明の後処理中継ユニットは、前記第１または第２の本発明において、前記中継ユニット制御手段は、前記画像形成装置と後処理装置の機種情報と、該機種情報と前記用紙搬送間隔および後処理に要する時間とを関連付けて記憶しておき、前記画像形成装置と後処理装置とから前記機種情報の通知を受けて、該機種情報に関連付けた前記用紙搬送間隔および後処理に要する時間情報を読み出すことを特徴とする。
【００１３】
第４の本発明の後処理中継ユニットは、前記第１または第２の本発明において、前記中継ユニット制御手段は、前記用紙搬送間隔および後処理に要する時間を特定する情報を、前記画像形成装置と後処理装置との接続状態でＪＯＢ実行前に取得して記憶しておくことを特徴とする。
【００１４】
第５の本発明の後処理中継ユニットは、前記第１〜第４の本発明のいずれかにおいて、前記ＪＯＢに関する情報は前記画像形成装置から通知され、実行ＪＯＢの後処理モード、搬送枚数、区切り情報を含むことを特徴とする。
【００１５】
第６の本発明の後処理中継ユニットは、前記第１〜第５の本発明のいずれかにおいて、前記画像形成装置の用紙搬送間隔をＴmain、後処理に要する時間をＴFSとして、ＴFS＞Ｔmainの場合、前記重ね合わせ部で重ね合わせる用紙の枚数を（ＴFS／Ｔmain）以上の整数値とすることを特徴とする。
【００１６】
第７の本発明の後処理中継ユニットは、前記第１〜第６の本発明のいずれかにおいて、前記中継ユニット制御手段は、前記後処理装置の後処理タイミング以外では、前記画像形成装置の用紙搬送間隔で前記重ね合わせを行うことなく用紙を前記後処理装置に搬送し、前記後処理装置の後処理タイミングでは、後処理に要する時間が前記用紙搬送間隔を超える場合、前記重ね合わせ部に用紙の重ね合わせを実行させ、前記後処理の完了後、新たな用紙が該後処理中継ユニットに搬送されるタイミングまたはその前に、前記重ね合わせ部で重ね合わされた前記用紙を前記後処理装置に搬送する制御を行うことを特徴とする。
【００１７】
第８の本発明の後処理中継ユニットは、前記第１〜第７の本発明のいずれかにおいて、複数の画像形成装置または／および複数の後処理装置を選択的に接続可能であることを特徴とする。  
【発明の効果】
【００１８】
すなわち、本発明の後処理中継ユニットによれば、画像形成装置と後処理装置との間に接続され、前記画像形成装置から送られる用紙を後処理装置に搬送する後処理中継ユニットにおいて、前記画像形成装置、前記後処理装置との通信を行う通信手段と、前記画像形成装置から送られる用紙を重ね合わせる重ね合わせ部と、前記画像形成装置と後処理装置の用紙搬送間隔および後処理に要する時間を特定する情報とＪＯＢに関する情報を前記通信手段を介して前記画像形成装置および前記後処理装置から取得し、該用紙搬送間隔および後処理に要する時間情報と実行ＪＯＢに関する情報とに基づいて前記重ね合わせ部で重ね合わせる用紙の枚数を決定する中継ユニット制御手段とを備えるので、画像形成装置の持つ生産性を確保しつつ、複雑な後処理組み合わせのシステム構成における最適な生産性確保を後処理中継ユニットで吸収し制御することができ、画像形成装置側は後処理組み合わせを比較的意識せずにシンプルな構成で実現ができる効果がある。
【発明を実施するための最良の形態】
【００１９】
以下に、本発明の一実施形態を添付図面に基づいて説明する。
図１は、本発明の一実施形態の後処理中継ユニット２の接続例である。
図１（ａ）は、画像形成装置１の後段に用紙の重ね合わせ機構を有する後処理中継ユニット２を接続し、該後処理中継ユニット２の後段にパンチユニットを備える後処理装置３を接続し、さらにその後段にステープルユニットを備える後処理装置４を接続した画像形成システムを示している。この接続構成では、後処理中継ユニットの下流側に任意の数の後処理装置群を接続することができる。
【００２０】
また、図１（ｂ）は、画像形成装置１の後段に接続した後処理中継ユニット２に、後処理装置４を単独で接続した画像形成システムを示すものである。この後処理装置４には、上記のように他の後処理装置を適宜接続することができる。
【００２１】
図１（ｃ）は、画像形成装置１の後段に接続した後処理中継ユニット２に、いずれもステープル機能を有し、精度、コストなどが異なる後処理装置４ａ、４ｂが接続可能になっているものである。また、後処理機能の異なる後処理装置を選択して接続可能とするものであってもよい。
上記の接続構成は、接続例の一部であり、本発明の後処理中継ユニットとしては接続される、または接続可能な画像形成装置と後処理装置の数は特に限定されるものではなく、その種別も機能の異なる画像形成装置や性能の異なる画像形成装置、異種機能の後処理装置、性能が異なる同種の後処理装置などを接続することが可能である。
【００２２】
次に、図２は後処理中継ユニットの一実施形態を含む画像形成システムの動作ブロック図を示すものであり、画像形成装置１と、後処理中継ユニット２と、後処理装置３、後処理装置４が順次シリアルバス接続されている。なお以下では、後処理装置３はパンチ機能の他に折り機能を有し、後処理装置４はステープル機能の他に断裁機能を有するものとして説明する。
【００２３】
先ず、画像形成装置１について説明をする。
画像形成装置１は、画像形成装置全体を制御する画像形成装置制御部１０と画像処理部１１、表示部１２、後処理設定部１３、給紙部１４、第１搬送部１５、第２搬送部１６、第３搬送部１７、シリアル通信部１８を主構成として備えている。
【００２４】
画像形成装置制御部１０は、画像形成装置制御手段に相当するものであり、ＣＰＵとこれを動作させるプログラムを記憶したＲＯＭ、データの一次保存などを行うＲＡＭ、画像データを記憶する画像メモリ、画像形成装置１の設定データ、プロセス制御パラメータ、用紙情報、機種情報などが格納さる不揮発メモリなどからなる記憶部を備えている。画像形成装置制御部１０は、画像形成装置１の全体を制御するものであり、不揮発メモリに登録した設定データなどを呼び出して、画像形成装置１を動作させる。
【００２５】
さらに画像形成装置制御部１０には、画像処理部１１が制御可能に接続されている。該画像処理部１１には原稿から画像データを取得するための図示しない画像読取手段が設けられている。画像読取手段は、スキャナ部や自動原稿給送装置などを備えており、原稿の読み取りなどによって画像データを生成する。なお、画像データは、画像形成装置１の外部で取得されて画像形成装置１にネットワークや記録媒体などを介して提供されるものであってもよい。また、画像処理部１１には、画像形成手段を備えている。該画像形成手段には、例えば感光体を帯電器によって帯電させ、ＬＤなどによって画像データに基づいて前記感光体上に潜像を生成し、該潜像を現像器によって現像し、これを転写手段を介して用紙に転写して画像を形成し定着器で定着させるものである。
【００２６】
さらに画像形成装置制御部１０には、表示部１２が制御可能に接続されている。表示部１２は、画像形成装置制御部１０によって制御され、画像形成装置１における適宜の情報が表示される。また、利用者が画像形成装置１に対し所定の操作を行うことができるようにされている。表示部１２では、表示と操作とは独立してなされるものであってもよく、また、ＬＣＤタッチパネルのように表示画面上で操作を行えるようにしたものであっても良い。
【００２７】
また画像形成装置制御部１０には、後処理設定部１３が制御可能に接続されている、該後処理設定部１３では、画像形成後の用紙に行う後処理モード、すなわち後処理の内容や後処理装置の選定、ステイプルなどにおける束枚数、部数などの設定がなされる。該後処理設定部１３は、前記した表示部１２と独立して設けても良く、また上記表示部１２で兼用するものであってもよい。後処理設定部１３による設定内容は、画像形成装置制御部１０に通知される。
【００２８】
画像形成装置制御部１０には、給紙部１４が制御可能に接続されている。給紙部１４は、画像形成を行う用紙が収容された１または複数の給紙トレイを備えており、画像形成装置制御部１０によって、使用される給紙トレイの選択、給紙タイミング、給紙ローラの動作などが制御される。
【００２９】
さらに、画像形成装置制御部１０には、第１搬送部１５、第２搬送部１６、第３搬送部１７が制御可能に接続されている。第１搬送部１５は、前記給紙部１４から用紙を画像形成手段にまで搬送するものであり、搬送路、搬送ローラなどを備え、画像形成装置制御部１０により制御される用紙搬送間隔（給紙間隔）で用紙を搬送する。第２搬送部１６は、画像形成がなされた用紙を反転してさらに画像形成手段に搬送するものであり、搬送路、搬送ローラなどを備え、画像形成装置制御部１０により制御される用紙間隔で用紙を搬送する。第３搬送部１７は、画像形成された用紙を画像形成装置１の排紙部または後段の後処理中継ユニット２に搬送するものであり、画像形成装置制御部１０により制御される用紙搬送間隔（排紙間隔）で用紙を搬送する。
【００３０】
画像形成装置制御部１０には、シリアル通信部１８が制御可能に接続されており、該シリアル通信部１８は、後段の後処理中継ユニット２の対前段シリアル通信部２５とシリアルバスにより接続されている。該シリアル通信部１８を介して後段の後処理中継ユニット２との通信が可能であり、画像形成装置１の機種情報や、生産情報（用紙搬送間隔など）、ＪＯＢに関する情報（後処理モード、搬送枚数、区切り情報）などが通知される。また、後処理中継ユニット２からは後処理中継ユニット２の装置情報（接続位置、生産性（用紙搬送間隔、後処理に要する時間など）、装置状態情報）や後処理中継ユニット２を介して後処理装置３、４の装置状態情報などが通知される。
【００３１】
次に、後処理中継ユニット２について説明する。
後処理中継ユニット２は、後処理中継ユニット全体を制御する後処理中継ユニット制御部２０と第１搬送部２１、第２搬送部２２、第３搬送部２３と、重ね合わせ部２４、対前段シリアル通信部２５、対後段シリアル通信部２６を主構成として備えている。
【００３２】
後処理中継ユニット制御部２０は、後処理中継ユニット制御手段に相当するものであり、ＣＰＵとこれを動作させるプログラムを記憶したＲＯＭ、データの一次保存などを行うＲＡＭ、後処理中継ユニット２の設定データ、プロセス制御パラメータ、画像形成装置の機種情報に関連付けた用紙搬送間隔情報、後処理装置の機種情報に関連付けた後処理に要する時間情報などが格納可能な不揮発メモリなどからなる記憶部を備えている。後処理中継ユニット制御部２０は、後処理中継ユニット２の全体を制御するものであり、不揮発メモリに登録した設定データなどを呼び出して、後処理中継ユニット２を動作させる。また、後処理中継ユニット制御部２０では、画像形成装置および後処理装置での用紙搬送間隔および後処理に要する時間情報と実行ＪＯＢに関する情報（搬送枚数、区切り情報など）とから重ね合わせ部２４での用紙の重ね合わせ枚数を決定し、該決定にしたがって、重ね合わせ部２４に対し、用紙を重ね合わさせる制御を行う。
【００３３】
また、後処理中継ユニット制御部２０には、第１搬送部２１が制御可能に接続されている。該第１搬送部２１は、画像形成装置１から搬送される用紙を重ね合わせ部２４まで搬送する手段であり、搬送路、搬送ローラなどにより構成され、後処理中継ユニット制御部２０により制御される用紙搬送間隔で用紙を搬送する。第２搬送部２２は、重ね合わせ部２４での用紙の搬送を行うものであり、重ね合わされた用紙を第３搬送部２３へと搬送する。第３搬送部２３は、重ね合わせ部２４から後段の後処理装置３に用紙を搬送する手段であり、搬送路、搬送ローラなどにより構成され、後処理中継ユニット制御部２０により制御される用紙搬送間隔で用紙を搬送する。なお、用紙の重ね合わせを必要としない場合、第１搬送手段２１で搬送される用紙は、第２搬送手段２２を介することなく第３搬送手段２３に搬送することができる。第１搬送手段２１、第３搬送手段２３では、通常は画像形成装置１における用紙搬送間隔と同じ用紙搬送間隔で用紙の搬送を行う。
【００３４】
後処理中継ユニット制御部２０には、重ね合わせ部２４が制御可能に接続されている。該重ね合わせ部２４は、第１搬送部２１から搬送される用紙を所定の枚数で重ね合わせて貯留する。所定の枚数で重ね合わされた用紙は、第２搬送部２２により第３搬送部２３へと搬送される。重ね合わせ部２４の構成は本発明としては特定のものに限定されるものではなく、順次送られる用紙を入れ替わりなく重ね合わすことができて、重ね合わせ状態で搬送できるものであればよく、整合動作を行わせる機能を有するものであってもよい。また、順次送られる用紙の入れ替わりが生じないように用紙押さえ手段などを備えるものであってもよい。
【００３５】
後処理中継ユニット制御部２０には、上記のように、対前段シリアル通信部２５および対後段シリアル通信部２６が制御可能に接続されており、対前段シリアル通信部２５は、前段の画像形成装置１のシリアル通信部１８とシリアルバスにより接続され、対後段シリアル通信部２６は、後述する後段の後処理装置３の対前段シリアル通信部３６とシリアルバスにより接続されている。前記対前段シリアル通信部２５を介して前段の画像形成装置１との通信が可能であり、画像形成装置１の機種情報や、ＪＯＢに関する情報（後処理設定内容、搬送枚数、区切り情報）、給紙情報、排紙情報などの通知を受ける。また、後処理中継ユニット２の装置情報や、後処理中継ユニット２を介した後処理装置３、４の装置情報などを画像形成装置１に通知する。
また、前記対後段シリアル通信部２６を介して後段の後処理装置３との通信が可能であり、後処理中継ユニット２からの用紙搬送情報や、ＪＯＢに関する情報（後処理設定内容、搬送枚数、区切り情報）などが通知される。また、後処理装置３の装置情報や、後処理装置３を介した後処理装置４の装置情報などを後処理中継ユニット２に通知される。
【００３６】
次に、後処理装置３について説明する。
後処理装置３は、後処理装置全体を制御する後処理装置制御部３０と第１搬送部３１、第２搬送部３２、第３搬送部３３と、後処理部としてのパンチ部３４、折り部３５、対前段シリアル通信部３５、対後段シリアル通信部３６、を主構成として備えている。
【００３７】
後処理装置制御部３０は、後処理装置制御手段に相当するものであり、ＣＰＵとこれを動作させるプログラムを記憶したＲＯＭ、データの一次保存などを行うＲＡＭ、後処理装置３の設定データ、プロセス制御パラメータ、機種情報などが格納さる不揮発メモリなどからなる記憶部を備えている。後処理装置制御部３０は、後処理装置３全体を制御するものであり、不揮発メモリに登録した設定データなどを呼び出して、後処理装置３を動作させる。また、後処理装置制御部３０では、画像形成装置から通知される実行ＪＯＢに関する情報（後処理モード、搬送枚数、区切り情報など）に基づいて、後処理中継ユニット２から搬送される用紙に、パンチ部３４または折り部３５で所定の後処理を行うように制御する。
【００３８】
また、後処理装置制御部３０には、第１搬送部３１が制御可能に接続されている。該第１搬送部３１は、前記した後処置中継ユニット２から搬送される用紙を後述するパンチ部３４まで搬送する手段であり、搬送路、搬送ローラなどにより構成され、後処理装置制御部３０により制御される用紙搬送間隔で用紙を搬送する。第２搬送部３２は、パンチ部３４から折り部３５にまで用紙の搬送を行うものであり、搬送路、搬送ローラなどにより構成され、後処理装置制御部３０により制御される用紙搬送間隔で用紙を搬送する。第３搬送部３３は、折り部３５から後処理装置３の排紙部または後処理装置４に用紙を搬送する手段であり、搬送路、搬送ローラなどにより構成され、後処理装置制御部３０により制御される用紙搬送間隔で用紙を搬送する。第１搬送手段３１、第２搬送手段３２、第３搬送手段３３では、通常は画像形成装置１における用紙搬送間隔と同じ用紙搬送間隔で用紙の搬送を行う。
【００３９】
パンチ部３４は、第１搬送部３１で搬送される用紙に後処理として所定のパンチ穴を所定位置に設けるものである。なお、用紙にパンチを行わない場合、用紙は第１搬送部３１からそのまま第２搬送部に搬送することができる。
【００４０】
折り部３５は、第２搬送部３２で搬送される用紙を二つ折りや三つ折りなどにするものである。用紙に折りを行わない場合、用紙は第２搬送部３２からそのまま第３搬送部３３に搬送することができる。
【００４１】
後処理装置制御部３０には、対前段シリアル通信部３６および対後段シリアル通信部３７が制御可能に接続されており、対前段シリアル通信部３６は、前段の後処理中継ユニット２の対後段シリアル通信部２６とシリアルバスにより接続され、対後段シリアル通信部３７は、後述する後段の後処理装置４の対前段シリアル通信部４６とシリアルバスにより接続されている。前記対前段シリアル通信部３６を介して前段の後処理中継ユニット２との通信が可能であり、後処理中継ユニット２からの用紙搬送情報や搬送タイミング情報、ＪＯＢに関する情報（後処理設定内容、搬送枚数、区切り情報）などの通知を受ける。また、後処理装置３の装置情報や、後処理装置３を介した後処理装置４の装置情報などが後処理中継ユニット２に通知される。
また、前記対後段シリアル通信部３７を介して後段の後処理装置４との通信が可能であり、後処理中継ユニット２からの用紙搬送情報や搬送タイミング情報、ＪＯＢに関する情報（後処理設定内容、搬送枚数、区切り情報）などが後処理装置３を介して後処理装置４に通知される。また、後処理装置４の装置情報などが後処理装置３に通知される。
【００４２】
次に、後処理装置４について説明する。
後処理装置４は、後処理装置全体を制御する後処理装置制御部４０と第１搬送部４１、第２搬送部４２、第３搬送部４３と、後処理部としての断裁部４４、ステープル部４５、対前段シリアル通信部４６、対後段シリアル通信部４７、を主構成として備えている。
【００４３】
後処理装置制御部４０は、後処理装置制御手段に相当するものであり、ＣＰＵとこれを動作させるプログラムを記憶したＲＯＭ、データの一次保存などを行うＲＡＭ、後処理装置４の設定データ、プロセス制御パラメータ、機種情報などが格納さる不揮発メモリなどからなる記憶部を備えている。後処理装置制御部４０は、後処理装置４全体を制御するものであり、不揮発メモリに登録した設定データなどを呼び出して、後処理装置４を動作させる。また、後処理装置制御部４０では、画像形成装置から通知される実行ＪＯＢに関する情報（後処理モード、搬送枚数、区切り情報など）に基づいて、後処理装置３から搬送される用紙に、断裁部４４またはステープル部４５で所定の後処理を行うように制御する。
【００４４】
また、後処理装置制御部４０には、第１搬送部４１が制御可能に接続されている。該第１搬送部４１は、後処置装置３から搬送される用紙を後述する断裁部４４まで搬送する手段であり、搬送路、搬送ローラなどにより構成され、後処理装置制御部４０により制御される用紙搬送間隔で用紙を搬送する。第２搬送部４２は、断裁部４４からステープル部４５にまで用紙の搬送を行うものであり、搬送路、搬送ローラなどにより構成され、後処理装置制御部４０により制御される用紙搬送間隔で用紙を搬送する。第３搬送部４３は、ステープル部４５から後処理装置４の排紙部または後段に後処理装置が接続されている場合には後段側に用紙を搬送する手段であり、搬送路、搬送ローラなどにより構成され、後処理装置制御部４０により制御される用紙搬送間隔で用紙を搬送する。第１搬送手段４１、第２搬送手段４２、第３搬送手段４３では、通常は画像形成装置１における用紙搬送間隔と同じ用紙搬送間隔で用紙の搬送を行う。
【００４５】
断裁部４４は、第１搬送部４１で搬送される用紙を小口に断裁するものであり、その構成は既知のものにより構成することができる。なお、用紙の断裁を行わない場合、用紙は第１搬送部４１からそのまま第２搬送部４２に搬送することができる。
【００４６】
ステープル部４５は、第２搬送部４２で搬送される用紙にステープル処理を行うものであり、その構成は既知のものにより構成することができる。用紙にステープル処理を行わない場合、用紙は第２搬送部４２からそのまま第３搬送部４３に搬送することができる。
【００４７】
後処理装置制御部４０には、対前段シリアル通信部４６および対後段シリアル通信部４７が制御可能に接続されており、対前段シリアル通信部４６は、前段の後処理装置３の対後段シリアル通信部３７とシリアルバスにより接続され、対後段シリアル通信部３７は、後段に後処理装置を接続する際に、用いられる。前記対前段シリアル通信部３７を介して前段の後処理装置３との通信が可能であり、後処理装置３からの用紙搬送情報や搬送タイミング情報、ＪＯＢに関する情報（後処理設定内容、搬送枚数、区切り情報）などの通知を受ける。また、後処理装置４の装置情報や、後処理装置４を介した後段の後処理装置の装置情報などを後処理装置３に通知される。
【００４８】
次に、上記画像形成システムのうち、図１（ａ）の装置に関する動作手順について説明する。
先ず、画像形成装置１／後処理中継ユニット２／後処理装置３（パンチ機能）／後処理装置４（ステープル機能）の場合の電源ＯＮ時のネゴシエーションのはしご図を図３に示す。
電源ＯＮ時に画像形成装置１から、後処理中継ユニット２を含む下流側の後処理装置３、４に対し、本体システム情報を通知する。
本体システム情報通知には、本体種類及び本体生産性を示す排紙間隔時間（用紙搬送間隔）情報等も含むものとする。また、画像形成装置１の後ろの何番目に連結されているかを示す、接続位置情報も含む。
【００４９】
後処理中継ユニット２、後処理装置３、４側では本通知を受け取った場合、自機が最終後処理装置で無い限り、本通知に含まれる接続位置情報に１を加算し、後段後処理装置に通知する。
最終段の後処理装置（この例では後処理装置４）が本通知を受け取った場合、自機の後処理装置情報を前段側に通知する。後処理装置情報は自機の接続位置及び、可能な機能（ステープル可、パンチ可など）に関する情報、また、機能実現の際の生産性（後処理に要する時間ＴFs）や生産性補足情報（生産性が関係する時期）に関する情報を含む。
後段から本通知を受け取った後処理装置３、後処理中継ユニット２は前段に対し、該通知を転送するとともに、転送した情報が自機の後段側の情報であった場合は、引き続き自機の装置情報を前段に通知するものとする。これにより装置情報等は、画像形成装置１にまで通知される。また、後処理中継ユニット２では、画像形成装置１から通知される画像形成装置１の生産性（排紙間隔の時間）及び、下流側の後処理装置３、４から通知される後段で可能な後処理機能と、各生産性（後処理に要する時間）の情報を記憶する。
【００５０】
次に、画像形成装置１にＪＯＢが投入された後、画像形成装置１から後処理中継ユニット２に給紙情報が通知された場合の後処理中継ユニット２での用紙重ね合わせ判断のフローを図４に示す。
図４のフローチャートに示すように、前段からの給紙情報の受信により用紙の重ね合わせ判定の処理を開始する。該処理の開始に基づいて画像形成装置１から受信した頁情報（搬送枚数、区切り情報など）を後処理中継ユニット内のメモリに保存する（ステップＡ１）。
【００５１】
次いで、後処理中継ユニット制御部２０によりパンチ重ね合わせ判定を行う。パンチ重ね合わせ判定の手順を図５のフローチャートに示す。該手順では、用紙がパンチモードであるか否かが判定され（ステップＢ１）、パンチモードでない場合、処理を終了する（ステップＢ１、ＮＯ）。パンチモードである場合、重ね合わせ部に先行紙があるか否かの判定を行い（ステップＢ２）、先行紙がない場合（ステップＢ２、ＮＯ）、重ね合わせの判定は不要であると判定し（ステップＢ５）、判定処理を終了する。重ね合わせ部に先行紙がある場合（ステップＢ２、ＹＥＳ）、先行紙が同じ後処理モードであるか否か、すなわちパンチモードであったか否かの判定を行う（ステップＢ３）。これにより異なる後処理モードの用紙が重ね合わされるのを防止する。先行紙がパンチモードでない場合（ステップＢ３、ＮＯ）、重ね合わせ不要判定をし（ステップＢ５）、処理を中止する。先行紙がパンチモードである場合（ステップＢ３、ＹＥＳ）、画像形成装置１における用紙搬送間隔Ｔmainと、パンチ処理に要する時間Ｔpunch（ＴFSに相当）とを比較し、パンチ処理に要する時間Ｔpunchが用紙搬送間隔Ｔmain以下であるか否かの判定を行う（ステップＢ４）。パンチ処理に要する時間Ｔpunchが用紙搬送間隔Ｔmain以下である場合（ステップＢ４、ＹＥＳ）、用紙搬送間隔以内で後処理を行えるので、用紙の重ね合わせは不要であり、重ね合わせ不要判定をし（ステップＢ５）、処理を中止する。一方、パンチ処理に要する時間Ｔpunchが用紙搬送間隔Ｔmainを超える場合（ステップＢ４、ＹＥＳ）、用紙搬送間隔以内で後処理を行うことができないので、用紙の重ね合わせが必要であり、重ね合わせ要判定を行い（ステップＢ６）、処理を中止する。
【００５２】
図６は、パンチ処理の生産性が異なる後処理装置３（ＦＳ−Ａ）と後処理装置３（ＦＳ−Ｂ）における用紙搬送とパンチ処理のタイミングチャートを示すものである。生産性の高い後処理装置３（ＦＳ−Ａ）では、例えば、パンチ処理に要する時間Ｔpunchが３秒、用紙搬送間隔Ｔmainが３秒であるとすれば、パンチ処理に要する時間Ｔpunchが用紙搬送間隔Ｔmain以下であり、用紙搬送間隔以内でパンチ処理を行うことができるため、用紙の重ねあわせを行うことなく、画像形成装置１の排紙能力に合わせてパンチ処理を行うことができる。
【００５３】
一方、後処理装置３（ＦＳ−Ｂ）は後処理装置３（ＦＳ−Ａ）よりも生産性が低く、例えば、パンチ処理に要する時間Ｔpunchが６秒であり、用紙搬送間隔Ｔmainの３秒であると、パンチ処理に要する時間Ｔpunchが用紙搬送間隔Ｔmainを超えてしまう。このため、用紙の給紙がある毎に、重ね合わせ要の判定がなされる。重ね合わせ枚数は、パンチ処理のみを想定すれば、上記の例ではＴpunch／Ｔmain以上の整数値である２枚に決定される。したがって、図に示すように、後処理中継ユニット２で２枚ずつ用紙が重ね合わされて、この重ね合わされた用紙が後処理装置３（ＦＳ−Ｂ）で２枚ずつパンチ処理が施されることになる。
【００５４】
上記パンチ重ね合わせ判定の処理（ステップＡ２）を行った後は、後処理中継ユニット制御部２０によりステープル重ね合わせ判定がなされる（ステップＡ３）。ステープル重ね合わせ判定の手順を図７のフローチャートに示す。
該手順では、用紙がステープルモードであるか否かが判定され（ステップＣ１）、ステープルモードでない場合、処理を終了する（ステップＣ１、ＮＯ）。ステープルモードである場合、重ね合わせ部に先行紙があるか否かの判定を行い（ステップＣ２）、先行紙がない場合（ステップＣ２、ＮＯ）、重ね合わせの判定は不要であると判定し（ステップＣ７）、判定処理を終了する。重ね合わせ部に先行紙がある場合（ステップＣ２、ＹＥＳ）、先行紙が同じ後処理モードであるか否か、すなわちステープルモードであったか否かの判定を行う（ステップＣ３）。これにより異なる後処理モードの用紙が重ね合わされるのを防止する。先行紙がステープルモードでない場合（ステップＣ３、ＮＯ）、重ね合わせ不要判定をし（ステップＣ７）、処理を中止する。
【００５５】
先行紙がステープルモードである場合（ステップＣ３、ＹＥＳ）、画像形成装置における用紙搬送間隔Ｔmainと、ステープル処理に要する時間Ｔmax（ＴFSに相当）とを比較し、ステープル処理に要する時間Ｔmaxが用紙搬送間隔Ｔmain以下であるか否かの判定を行う（ステップＣ４）。ステープル処理に要する時間Ｔmaxが用紙搬送間隔Ｔmain以下である場合（ステップＣ４、ＹＥＳ）、用紙搬送間隔以内で後処理を行えるので、用紙の重ね合わせは不要であり、重ね合わせ不要判定をし（ステップＣ７）、処理を中止する。一方、ステープル処理に要する時間Ｔmaxが用紙搬送間隔Ｔmainを超える場合（ステップＣ４、ＹＥＳ）、用紙搬送間隔以内で後処理を行うことができないので、用紙の重ね合わせが必要であり、重ね合わせ枚数StaplePageをＴmax／Ｔmin以上の最小整数とする（ステップＣ５）。次いで、ステープルを行う束先頭頁からの排紙（搬送）枚数がStaplePage未満であるか否かの判定を行い、StaplePageに達している場合、重ね合わせは不可であるため重ね合わせ不要判定をし（ステップＣ７）、処理を終了する。束先頭頁からの排紙（搬送）枚数がStaplePage未満である場合、重ね合わせが必要であるため、重ね合わせ要判定を行い（ステップＣ８）、処理を終了する。
【００５６】
図８は、ステープル処理の生産性が異なる後処理装置４（ＦＳ−Ａ）と後処理装置４（ＦＳ−Ｂ）における用紙搬送とステープル処理のタイミングチャートを示すものである。
ステープル後処理装置４（ＦＳ−Ａ）は、ステープル後処理装置４（ＦＳ−Ｂ）に対し生産性（単位時間のステープル冊子出力数）が高い（多い）ステープル後処理装置とする。ステープルを行う場合、束の区切りの用紙が後処理装置内に排出された後ステープルを実行するが、画像形成装置の用紙排出間隔より、ステープルを実行する為の時間の方が長いのが一般的である。この場合ステープル後処理装置へ排出される時点で、束区切りの用紙と次の用紙の間隔を、ステープル後処理が必要とするステープル実行時間分確保する必要がある。
【００５７】
このため、後処理装置４（ＦＳ−Ａ）の前段の後処理中継ユニット２で用紙を重ね、画像形成装置１の生産性を最大限発揮させるとした場合、画像形成装置の用紙間隔をＴmain、ステープル後処理装置４（ＦＳ−Ａ）のステイプルに要する時間をＴmax（FS-A）とした場合、Ｔmax(FS-A)と／Ｔmain以上の整数の値の枚数を束区切り後に後処理中継ユニット２で重ねることで、画像形成装置は生産性１００％が確保できる。仮に画像形成装置のＴmainを３秒、後処理装置４（ＦＳ−Ａ）のＴmax(FS-A)を６秒とした場合、後処理中継ユニット２で２枚を重ねることで画像形成装置１の生産性を落とさずにステープルの実行が可能である。
【００５８】
同様に後処理装置４（ＦＳ−Ａ）より生産性の低い後処理装置４（ＦＳ−Ｂ）を接続した場合、ステープル後処理に必要とするステープル実行時間は、後処理装置４（ＦＳ−Ａ）より長いＴmax(FS-B)となる。仮に画像形成装置１のＴmainを３秒、後処理装置４（ＦＳ−Ｂ）のＴmax(FS-B)を９秒とした場合、後処理中継ユニット２で３枚を重ねることで画像形成装置１の生産性を落とさずに、かつステープル後処理装置Ｂの性能を最大限発揮してステープルの実行が可能となる。
【００５９】
上記ステープル重ね合わせ判定を行った後（ステップＡ３）、後処理中継ユニット制御部２０によっていずれかの条件で重ね合わせ要の判定がなされたか否かの判定がなされる（ステップＡ４）。該判定において重ね合わせ不要であった場合（ステップＡ４、不要）、給紙情報を後段に通知する。一方、重ね合わせ要の判定がなされていた場合（ステップＡ４、要）、判定を行っている用紙で重ね合わせを実行し、重ね合わせカウントに１を加算する（ステップＡ５）。次いで、後処理中継ユニット制御部２０により重ね合わせ最終頁判定を行う（ステップＡ６）。該重ね合わせ最終頁判定の手順を図９のフローチャートに示す。
【００６０】
重ね合わせ最終判定では、重ね合わせ最終頁データ（limit）の初期化を行い（ステップＤ１）、パンチモードであるか否かの判定を行う（ステップＤ２）。パンチモードの場合（ステップＤ２、ＹＥＳ）、最終頁データ（limit）をＴpouch／Ｔmain以上の最小整数に設定する（ステップＤ３）。次いで、ステープルモードであるか否かの判定を行い（ステップＤ４）、ステープルモードでない場合（ステップＤ４、ＮＯ）、処理を終了する。ステープルモードの場合（ステップＤ４、ＹＥＳ）、Ｔmax／Ｔmainが最終頁データ（limit）を超えているが否かの判定を行う（ステップＤ５）。最終頁データを超えていない場合（ステップＤ５、ＮＯ）、処理を終了する。最終頁データを超えている場合（ステップＤ５、ＹＥＳ）、最終頁データ（limit）は、Ｔmax／Ｔmin以上の最小整数値に設定される。すなわち、パンチとステープルの両方が行われる場合、両機能で求められる重ね合わせ枚数の最大枚数が重ね合わせ枚数に設定されることになる。
【００６１】
重ね合わせ最終判定（ステップＡ６）後、重ね合わせカウントが最終頁データを超えたか否かの判定がなされる（ステップＡ７）。最終頁データを超えていない場合（ステップＡ９、ＮＯ）、重ね合わせは継続されるものとして給紙情報を後段に通知する（ステップＡ９）。最終頁データを超えている場合、（ステップＡ９、ＹＥＳ）、重ね合わせが最終頁に至っているので、該当頁で重ね合わせた後、重ね合わせ部から排出して後処理装置に供し（ステップＡ８）、給紙情報を後段に通知する（ステップＡ９）。
【００６２】
以上のように、後処理中継ユニットで、接続されている画像形成装置及び後段に接続されている後処理装置の種別と各モードに於ける生産性、また実行するＪＯＢのモード条件から、動的に重ね合わせ枚数を判断・決定して、用紙の重ね合わせを行い後段後処理へ排出することにより、複数の後処理連結の組み合わせに於ける最適な生産性を確保する。
パンチ＋ステープル等の複数条件が成立した場合は、選択された全ての条件での最大重ね合わせ枚数を重ねることにより、生産性を確保する。
【００６３】
次に、画像形成装置１と後処理中継ユニット２、パンチ機能を有する後処理装置３、ステープル機能を有する後処理装置４間での給紙情報等の通知の関係を図１０のはしご図に基づいて説明する。なお、この図では、パンチモードで２枚の用紙の重ね合わせを必要としている場合について説明する。
【００６４】
画像形成装置１から後処理中継ユニット２に動作開始通知がなされると、該通知は、後処理中継ユニット２より順次、後段に通知される。画像形成装置１から  後処理中継ユニット２に１頁目の給紙情報が通知されると、同様に該通知は、後処理中継ユニット２より順次、後段に通知される。後処理中継ユニット２では、前記したように給紙毎に重ね合わせの要否判断と重ね合わせの最終頁判断がなされる。さらに画像形成装置１から  後処理中継ユニット２に２頁目の給紙情報が通知されると、同様に該通知は、後処理中継ユニット２より順次、後段に通知され、後処理中継ユニット２では、重ね合わせの要否判断と重ね合わせの最終頁判断がなされる。この２頁目は、この例では重ね合わせ最終頁であると判断される。
【００６５】
画像形成装置１では、用紙への画像形成がなされて排紙のタイミングになると後処理中継ユニット２に対し、１頁の排紙タイミングを通知するとともに、１頁目を後処理中継ユニット２に排紙する。後処理中継ユニット２では、搬送されてくる１枚目の用紙を重ね合わせ部に搬送し、重ね合わせに備える。画像形成装置１から、後処理中継ユニット２に３頁目の給送情報通知がなされると、該通知は、後処理中継ユニット２より順次後段に通知され、後処理中継ユニット２では、前記したように給紙毎に重ね合わせの要否判断と重ね合わせの最終頁判断がなされる。
画像形成装置１では、２頁目の排紙のタイミングを後処理中継ユニット２に通知し、２頁目を後処理中継ユニット２に排紙する。後処理中継ユニット２では、搬送されてくる２頁目の用紙を重ね合わせ部に重ね合わせ、重ね合わせ最終頁であるという前記判断の基に１、２頁目の排紙タイミングであることを後段の後処理装置３に通知するとともに、１、２頁目の用紙を重ね合わせた状態で後処理装置３に搬送する。後処理装置３では、搬送される１、２頁目の用紙にパンチ処理を行い、後処理装置３の排紙部または後処理装置４に搬送し、後処理装置４に１、２頁目の排紙タイミングを通知する。
【００６６】
上記手順を繰り返すことで、後処理中継ユニット２に用紙が２枚ずつ重ね合わされながら後処理装置３へと搬送されることになり、画像形成装置１では、本来の用紙搬送速度のままで用紙を排出して後処理を行うことができ、高い生産性を維持することができる。
【００６７】
以上、本発明について上記実施形態に基づいて説明を行ったが、本発明は、上記実施形態の説明の内容に限定をされるものではなく、本発明を逸脱しない限りは当然に適宜の変更が可能である。
【図面の簡単な説明】
【００６８】
【図１】本発明の一実施形態の後処理中継ユニットの接続例を示す図である。
【図２】同じく、一実施形態の後処理中継ユニットを含む画像形成システムの動作ブロック図である。
【図３】同じく、画像形成装置と後処理中継ユニット、後処理装置が接続された状態での情報通知を示すはしご図である。
【図４】同じく、給紙情報を受信した後の後処理中継ユニットでの用紙重ね合わせ判定の手順を示すフローチャートである。
【図５】同じく、パンチ重ね合わせ判定の手順を示すフローチャートである。
【図６】同じく、パンチ機能を有する後処理装置を用いる場合の用紙搬送と後処理のタイミングを示すチャートである。
【図７】同じく、ステープル重ね合わせ判定の手順を示すフローチャートである。
【図８】同じく、ステープル機能を有する後処理装置を用いる場合の用紙搬送と後処理のタイミングを示すチャートである。
【図９】同じく、重ね合わせ最終頁判定の手順を示すフローチャートである。
【図１０】同じく、用紙搬送情報の通知と後処理を行うタイミングを示すはしご図である。
【符号の説明】
【００６９】
１    画像形成装置
１８  シリアル通信部
２    後処理中継ユニット
２０  後処理中継ユニット制御部
２４  重ね合わせ部
２５  対前段シリアル通信部
２６  対後段シリアル通信部
３    後処理装置
３０  後処理装置制御部
３４  パンチ部
３５  折り部
３６  対前段シリアル通信部
３７  対後段シリアル通信部
４    後処理装置
４０  後処理装置制御部
４４  断裁部
３５  ステープル部
４６  対前段シリアル通信部
４７  対後段シリアル通信部
【図１】
2008303061.tif 000003
【図２】
2008303061.tif 000004
【図３】
2008303061.tif 000005
【図４】
2008303061.tif 000006
【図５】
2008303061.tif 000007
【図６】
2008303061.tif 000008
【図７】
2008303061.tif 000009
【図８】
2008303061.tif 000010
【図９】
2008303061.tif 000011
【図１０】
2008303061.tif 000012